(57)【要約】【課題】より広い周波数帯域あるいはより広範な動作バイアス条件のもとで高出力増幅器の出力電力、効率や歪などの諸特性を最良とすることのできる無線送信装置を得る。【解決手段】高出力増幅器１０１，２０１とアンテナ１０３，２０３との間に３端子のサーキュレータ１０２，２０２を設ける。サーキュレータ１０２，２０２におけるアンテナ１０３，２０３からの反射波が出力される端子に、高出力増幅器１０１，２０１の負荷反射係数を可変とする可変反射回路１０４，２０４を設ける。これにより、アンテナ１０３，２０３からの反射波を適切な量で高出力増幅器１０１，２０１に適応的に注入させる。【選択図】図１
2012235329.tif 000002
【特許請求の範囲】
【請求項１】
送信信号を増幅する増幅器と、当該増幅器の出力信号を放射するアンテナと、これら増幅器とアンテナとの間に設けられた３端子のサーキュレータとを備えた無線送信装置において、
前記サーキュレータにおける前記アンテナからの反射波が出力される端子に、前記増幅器の負荷反射係数を可変とする可変反射回路を設けたことを特徴とする無線送信装置。
【請求項２】
増幅器の入力側に送信信号を移相する移相器を設け、当該移相器、前記増幅器、サーキュレータ、アンテナ及び可変反射回路を複数個アレー配置することでアクティブフェーズドアレーアンテナを構成すると共に、
前記それぞれの可変反射回路を、前記それぞれの移相器の移相量に応じて制御する制御回路を備えたことを特徴とする請求項１記載の無線送信装置。
【請求項３】
増幅器のバイアス回路として用いる電圧可変回路を設け、
前記電圧可変回路で供給されるバイアス電圧を制御することで、前記増幅器の出力電力を制御することを特徴とする請求項１または請求項２記載の無線送信装置。
【請求項４】
可変反射回路は、抵抗素子とリアクタンス素子からなる互いに異なる複数個の固定反射回路を１対多端子型のスイッチに接続し、回路の入力反射係数を前記スイッチにより切り替えることで反射係数を可変とすることを特徴とする請求項１から請求項３のうちのいずれか１項記載の無線送信装置。
【請求項５】
可変反射回路は、一定長の伝送線路と当該伝送線路の中間点にシャントに接続された抵抗素子および可変容量素子からなる単位回路を、直流阻止用の直列キャパシタを介して複数個縦続接続して構成することを特徴とする請求項１から請求項３のうちのいずれか１項記載の無線送信装置。
【発明の詳細な説明】
【技術分野】
【０００１】
この発明は、送信信号を増幅しさらにそれを放射するための高出力増幅器およびアンテナを含む無線送信装置に関するものである。
【背景技術】
【０００２】
従来、高出力増幅器とその出力信号を放射するためのアンテナからなる無線送信装置において、アンテナからの不要な反射波を吸収するため、高出力増幅器とアンテナの間にサーキュレータを接続し、その一端に反射波を吸収するための終端抵抗を接続したものがあった（例えば、特許文献１参照）。
【０００３】
図３は、このような従来の無線通信器を示すブロック図である。
図示の装置は、受信と送信とを切り替えて時分割通信を行う装置である。この装置は、高出力増幅器１の出力波から高周波成分を除去する低域ろ波器２と、低域ろ波器２からの送信信号をアンテナ４に導くと共に、アンテナ４からの受信信号を帯域ろ波器９と受信用増幅器１０からなる受信回路に導くサーキュレータ３と、サーキュレータ３の受信回路側の出力にスイッチ５を介して設けられた終端抵抗６と、スイッチ５の制御信号を入力するためのスイッチ制御信号線７とを有するものである。
【０００４】
このような装置において、高出力増幅器１、低域ろ波器２、サーキュレータ３、アンテナ４を経て送信される送信信号と、アンテナ４、サーキュレータ３、帯域ろ波器９、受信用増幅器１０を経て受信される受信信号は互いにその周波数が異なっており、同無線通信装置が送信状態にあるときにはスイッチ５はオン状態となり、送信信号のアンテナ４での反射波はサーキュレータ３を経て終端抵抗６で吸収され、送信側の経路（低域ろ波器２〜高出力増幅器１）には到達しない。従って、高出力増幅器１から出力側をみた負荷反射係数はアンテナ４の反射係数によらずほぼ０、換言すればその負荷インピーダンスはサーキュレータ３の入力インピーダンスＺｏ（通常は５０Ω）となり、高出力増幅器１を安定的に動作させることが可能となる。
【０００５】
また、従来、複数のアンテナ素子を有する送受信共用アンテナ装置において、送信時に他のアレーアンテナからの漏れ電力が送信系に帰還されないよう、漏れ電力吸収装置を受信系に設け、送信系の出力特性の劣化や送信系の破壊の防止を行うようにしたものがあった（例えば、特許文献２参照）。
【先行技術文献】
【特許文献】
【０００６】
【特許文献１】特開平８−１１１６５２号公報
【特許文献２】特開２０００−１８３７８３号公報
【発明の概要】
【発明が解決しようとする課題】
【０００７】
図３の無線通信装置において含まれる高出力増幅器１は、一般にその出力負荷インピーダンスがほぼＺｏのときに最も優れた特性（出力電力、効率、歪、利得など）を呈するように設計、使用される。しかしながら、そのような設計は或る限られた周波数帯域、あるいは或る限られた動作バイアス電圧においてのみなされ、同増幅器を比較的広帯域に動作させるときや、出力電力の調整などのためにその動作バイアス電圧を変化させた場合には、高出力増幅器の特性を最良とするための最適な出力負荷インピーダンスがＺｏからかなり乖離する。
【０００８】
ところが、上述したように、図３において高出力増幅器１からみた出力負荷インピーダンスは、サーキュレータ３、終端抵抗６の効果によりアンテナ４の入力インピーダンスに依らず常にほぼＺｏとなるため、前述した或る限られた周波数帯域、あるいは或る限られた動作バイアス電圧における高出力増幅器の特性は最良となるが、それ以外の条件下においては必ずしも最良の特性が得られなくなる問題があった。
【０００９】
一方、同無線通信装置に用いられるアンテナ４について考えると、一般にその入力反射係数はほぼ０、換言すればその入力インピーダンスがほぼＺｏとなるように設計されるが、同アンテナ４を比較的広帯域に動作させる場合、あるいはその近傍に何らかの遮蔽物などが接近した場合には、アンテナ４からの一定量の反射波が発生する。さらに、同無線通信装置を複数個アレー配置し同時に動作させることでフェーズドアレーアンテナ装置を構成した場合には、たとえアンテナ４自体からの反射波が０であっても近接する他のアンテナからの漏洩成分が入射されることにより、みかけの反射係数が無視できない大きさとなる現象が生じる。この現象については上記特許文献２などでも言及されている。
【００１０】
このように、図３に示すような従来の無線通信装置において、高出力増幅器１をより広い周波数帯域あるいはより広範な動作バイアス条件のもとで動作させる場合には、その出力負荷インピーダンスをＺｏ、すなわち負荷反射係数を０とすることなく、ある一定量の反射係数を持たせたほうが好ましい場合があるが、図３の構成においてはアンテナ４からの反射波成分は高出力増幅器１に戻ることなく常に終端抵抗６にて単に吸収されるため、常に前述した負荷インピーダンスがＺｏとなってしまい、アンテナ４からの反射波がいわば浪費されている問題があった。
【００１１】
この発明は上記の問題点を解決するためになされたもので、より広い周波数帯域あるいはより広範な動作バイアス条件のもとで高出力増幅器の出力電力、効率や歪などの諸特性を最良とすることのできる無線送信装置を得ることを目的とする。
【課題を解決するための手段】
【００１２】
この発明に係る無線送信装置は、送信信号を増幅する増幅器と、増幅器の出力信号を放射するアンテナと、これら増幅器とアンテナとの間に設けられた３端子のサーキュレータとを備えた無線送信装置において、サーキュレータにおけるアンテナからの反射波が出力される端子に、増幅器の負荷反射係数を可変とする可変反射回路を設けたものである。
【発明の効果】
【００１３】
この発明の無線送信装置は、サーキュレータにおけるアンテナからの反射波が出力される端子に、増幅器の負荷反射係数を可変とする可変反射回路を設けたので、より広い周波数帯域あるいはより広範な動作バイアス条件のもとで高出力増幅器の出力電力、効率や歪などの諸特性を最良とすることができる。
【図面の簡単な説明】
【００１４】
【図１】この発明の実施の形態１による無線送信装置を示す構成図である。
【図２】この発明の実施の形態２による無線送信装置を示す構成図である。
【図３】従来の無線通信装置を示す構成図である。
【発明を実施するための形態】
【００１５】
実施の形態１．
図１は、この発明の実施の形態１による無線送信装置を示す構成図である。
図１に示す無線送信装置は、アレー素子数２のアクティブフェーズドアレーアンテナの例であり、高出力増幅器１０１，２０１、サーキュレータ１０２，２０２、アンテナ１０３，２０３、可変反射回路１０４，２０４、移相器１０５，２０５、制御回路１０６，２０６、信号分配・制御回路３００を備えている。また、可変反射回路１０４，２０４は、スイッチ１０７，２０７、抵抗素子１０８ａ〜１０８ｃ，２０８ａ〜２０８ｃ、固定キャパシタ１０９，２０９、固定インダクタ１１０，２１０を備えて構成されている。尚、図１に示す無線送信装置では、アレー素子数２のフェーズドアレーアンテナとして示しているが、素子数は任意の値を取りうるものとする。また、各可変反射回路１０４，２０４の可変状態数を３としているが、この個数は任意の値を取りうるものとする。
【００１６】
高出力増幅器１０１，２０１は、移相器１０５，２０５で移相された送信信号を増幅する回路である。サーキュレータ１０２，２０２は、３端子のサーキュレータであり、高出力増幅器１０１，２０１からの送信信号をアンテナ１０３，２０３に接続すると共に、アンテナ１０３，２０３からの受信信号や反射波を可変反射回路１０４，２０４に接続する。アンテナ１０３，２０３は、送受信共用のアンテナである。可変反射回路１０４，２０４は、高出力増幅器１０１，２０１の負荷反射係数を可変とするための回路である。可変反射回路１０４，２０４におけるスイッチ１０７，２０７は、１対３端子対（ＳＰ３Ｔ）のスイッチであり、制御回路１０６，２０６からの制御信号に基づいて、サーキュレータ１０２，２０２からの信号を、抵抗素子１０８ａ〜１０８ｃ，２０８ａ〜２０８ｃの何れかに接続する。抵抗素子１０８ａ〜１０８ｃ，２０８ａ〜２０８ｃは、それぞれ一端がスイッチ１０７，２０７に接続されており、抵抗素子１０８ａ，２０８ａはその他端が接地され、抵抗素子１０８ｂ，２０８ｂは固定キャパシタ１０９，２０９を介して接地され、抵抗素子１０８ｃ，２０８ｃは、固定インダクタ１１０，２１０を介して接地されている。
【００１７】
移相器１０５，２０５は、信号分配・制御回路３００から出力される送信信号を、所定の移相角だけ移相させるものである。制御回路１０６，２０６は、移相器１０５，２０５および可変反射回路１０４，２０４の制御電圧を発生させる制御部である。また、信号分配・制御回路３００は、フェーズドアレーアンテナとしての信号分配や各部の制御を行うための回路である。
【００１８】
次に、この発明の実施の形態１による無線送信装置の動作について説明する。
同装置は同一の無線装置が複数個アレー配置されたフェーズドアレーアンテナであり、移相器１０５，２０５の通過移相を制御することでアンテナの指向性を制御することを目的としている。アンテナ１０３、２０３は基本的にはそれ自体の反射係数がほぼ０となるように設計されているが、前述したようにアレー動作している場合には隣接アンテナからの漏洩波により、各アンテナの入力端からみたみかけの入力反射係数は０ではなくなり、その漏洩波成分はサーキュレータ１０２，２０２を介して可変反射回路１０４，２０４に入力され、それは可変反射回路１０４，２０４にて反射されてサーキュレータ１０２，２０２を経て高出力増幅器１０１，２０１に至る。このとき、高出力増幅器１０１，２０１からサーキュレータ１０２，２０２、アンテナ１０３，２０３側をみた負荷反射係数、ひいては出力負荷インピーダンスは、隣接アンテナからの漏洩波成分と可変反射回路１０４，２０４の反射係数により定まる。隣接アンテナからの漏洩波成分はアレーアンテナのビーム走査角、ひいては移相器１０５，２０５の移相量により定まり、可変反射回路１０４，２０４の反射係数については、可変反射回路１０４，２０４に含まれる抵抗、キャパシタ、インダクタからなる複数個の固定反射回路をスイッチ１０７，２０７により適宜切り換えることでその反射振幅、反射位相が制御される。
【００１９】
一方、高出力増幅器１０１，２０１は基本的には出力負荷インピーダンスがＺｏ（Ｚｏはサーキュレータ１０２，２０２の入力インピーダンス）、すなわち負荷反射係数が０のときに最良の特性となるよう設計されるが、その動作周波数を設計時の中心周波数から比較的大きく変化させた場合には、負荷反射係数を０とせずある適切な値とした方が高出力増幅器１０１，２０１の最良の特性を維持する観点から望ましい。
従って、本実施の形態による無線送信装置からなるフェーズドアレーアンテナにおいて、そのビーム走査角、ひいては移相器１０５，２０５の移相量に応じて可変反射回路の反射係数を制御回路１０６，２０６により制御することで高出力増幅器１０１、２０１からみた負荷反射係数を常に適切な値に設定し、同増幅器の特性を最良に維持することが可能となる。
【００２０】
このように、高出力増幅器１０１，２０１とアンテナ１０３，２０３およびそれらの間に接続されたサーキュレータ１０２，２０２を複数個アレー配置したフェーズドアレーアンテナからなる無線送信装置において、同サーキュレータにてアンテナ１０３，２０３からの漏洩波が入射する端子に可変反射回路１０４，２０４を設け、その反射係数をアンテナビーム走査角に応じて適切に制御することで、従来のように、アンテナからの反射波をサーキュレータの終端抵抗で全て吸収させることなく、その反射波を適切な量で高出力増幅器に適応的に注入させることができる。従って、より広い周波数範囲にて高出力増幅器１０１，２０１の出力電力、効率、歪などの特性を維持することが可能となる。
【００２１】
以上説明したように、実施の形態１の無線送信装置によれば、送信信号を増幅する増幅器と、増幅器の出力信号を放射するアンテナと、これら増幅器とアンテナとの間に設けられた３端子のサーキュレータとを備えた無線送信装置において、サーキュレータにおけるアンテナからの反射波が出力される端子に、増幅器の負荷反射係数を可変とする可変反射回路を設けたので、より広い周波数帯域あるいはより広範な動作バイアス条件のもとで高出力増幅器の出力電力、効率や歪などの諸特性を最良とすることができる。
【００２２】
また、実施の形態１の無線送信装置によれば、増幅器の入力側に送信信号を移相する移相器を設け、移相器、増幅器、サーキュレータ、アンテナ及び可変反射回路を複数個アレー配置することでアクティブフェーズドアレーアンテナを構成すると共に、それぞれの可変反射回路を、それぞれの移相器の移相量に応じて制御する制御回路を備えたので、フェーズドアレーアンテナとして、より広い周波数帯域あるいはより広範な動作バイアス条件のもとで高出力増幅器の出力電力、効率や歪などの諸特性を最良とすることができる。
【００２３】
また、実施の形態１の無線送信装置によれば、可変反射回路は、抵抗素子とリアクタンス素子からなる互いに異なる複数個の固定反射回路を１対多端子型のスイッチに接続し、回路の入力反射係数をスイッチにより切り替えることで反射係数を可変とするようにしたので、増幅器の負荷反射係数の切り替えを容易に行うことができる。
【００２４】
実施の形態２．
図２はこの発明の実施の形態２による無線送信装置を示す図である。
図示の装置は、高出力増幅器４０１，５０１、サーキュレータ４０２，５０２、アンテナ４０３，５０３、可変反射回路４０４，５０４、移相器４０５，５０５、制御回路４０６，５０６、ＤＣ／ＤＣコンバータ４１３，５１３、信号分配・制御回路３００からなる。
【００２５】
高出力増幅器４０１，５０１は、基本的な機能は実施の形態１における高出力増幅器１０１，２０１と同様であるが、ＤＣ／ＤＣコンバータ４１３，５１３からの電圧によってその動作バイアスが制御されるようになっている点が異なっている。また、可変反射回路４０４，５０４の内部構成が実施の形態１とは異なっている。尚、サーキュレータ４０２，５０２、アンテナ４０３，５０３、移相器４０５，５０５は、それぞれ、実施の形態１のサーキュレータ１０２，２０２、アンテナ１０３，２０３、移相器１０５，２０５と同様である。また、信号分配・制御回路３００も実施の形態１と同様である。
【００２６】
可変反射回路４０４，５０４は、抵抗素子４０７ａ〜４０７ｃ，５０７ａ〜５０７ｃ、キャパシタ４０８ａ〜４０８ｃ、５０８ａ〜５０８ｃ、可変容量素子４０９ａ〜４０９ｃ，５０９ａ〜５０９ｃ、伝送線路４１０ａ〜４１０ｃ，５１０ａ〜５１０ｃ、キャパシタ４１１ａ〜４１１ｃ，５１１ａ〜５１１ｃ、バイアス電圧印加端子４１２ａ〜４１２ｃ，５１２ａ〜５１２ｃから構成されている。
【００２７】
抵抗素子４０７ａ〜４０７ｃ，５０７ａ〜５０７ｃは、それぞれ、一端側を伝送線路４１０ａ〜４１０ｃ，５１０ａ〜５１０ｃの中間点に、他端側をキャパシタ４１１ａ〜４１１ｃ，５１１ａ〜５１１ｃを介して接地している。キャパシタ４０８ａ〜４０８ｃ、５０８ａ〜５０８ｃは、直流阻止用のキャパシタであり、伝送線路４１０ａ〜４１０ｃ，５１０ａ〜５１０ｃの前段側に接続されている。可変容量素子４０９ａ〜４０９ｃ，５０９ａ〜５０９ｃは一端側を伝送線路４１０ａ〜４１０ｃ，５１０ａ〜５１０ｃの中間点に、他端側を接地した可変容量素子である。伝送線路４１０ａ〜４１０ｃ，５１０ａ〜５１０ｃは、一定長の伝送線路であり、サーキュレータ４０２，５０２からの信号に対して縦列接続されている。キャパシタ４１１ａ〜４１１ｃ，５１１ａ〜５１１ｃは、直流阻止用のキャパシタである。バイアス電圧印加端子４１２ａ〜４１２ｃ，５１２ａ〜５１２ｃは、制御回路４０６，５０６からの制御電圧を可変反射回路４０４，５０４のバイアス電圧として入力するための入力端子である。即ち、これらの可変反射回路４０４，５０４は、伝送線路４１０ａ〜４１０ｃ，５１０ａ〜５１０ｃの中間点にシャントに接続された抵抗素子４０７ａ〜４０７ｃ，５０７ａ〜５０７ｃおよび可変容量素子４０９ａ〜４０９ｃ，５０９ａ〜５０９ｃからなる単位回路を、直流阻止用の直列キャパシタ４０８ａ〜４０８ｃ、５０８ａ〜５０８ｃを介して複数個縦続接続して構成されている。
【００２８】
また、制御回路４０６，５０６は、ＤＣ／ＤＣコンバータ４１３，５１３に対して、制御電圧を与えると共に、可変反射回路４０４，５０４のバイアス電圧印加端子４１２ａ〜４１２ｃ，５１２ａ〜５１２ｃに対して制御電圧を与えるよう構成されている。尚、実施の形態２においても、アレー素子数２のフェーズドアレーアンテナとして図示しているが、素子数は任意の値を取りうるものとする。
【００２９】
次に、この発明の実施の形態２による無線送信装置の動作について説明する。
同装置は、実施の形態１と同様に、同一の無線装置が複数個アレー配置されたフェーズドアレーアンテナであり、その動作は実施の形態１と基本的には同様であるが、以下に述べる相違点がある。第一の相違点としては、高出力増幅器４０１，５０１にその動作バイアスを制御するためのＤＣ／ＤＣコンバータ４１３，５１３が接続されていることが挙げられる。これにより、高出力増幅器４０１，５０１への入力電力を低減して同増幅器からの出力電力を低下させた場合に、同増幅器へのバイアス電圧を併せて低下させて高出力増幅器４０１，５０１を低電圧動作させることでその消費電力を低減させることが可能となる。
【００３０】
但し、一般に、高出力増幅器４０１，５０１は高電圧動作時にその出力負荷反射係数を０（出力負荷インピーダンスをＺｏ）とすることでその動作効率などの諸特性が最良となるよう設計されており、そのバイアス電圧を低下させたときには最適負荷インピーダンスがＺｏから乖離する。そこで、制御回路４０６，５０６によりＤＣ／ＤＣコンバータ４１３，５１３と可変反射回路４０４，５０４を同時に制御し、高出力増幅器４０１，５０１からみた負荷反射係数（負荷インピーダンス）をバイアス電圧（ＤＣ／ＤＣコンバータの出力電圧）に応じて適応的に変化させることで、高出力増幅器４０１，５０１の低電圧動作時における動作効率を向上させることが可能となる。
【００３１】
第二の相違点としては、可変反射回路４０４，５０４の回路構成が異なることが挙げられる。本実施の形態においては、伝送線路４１０ａ〜４１０ｃ，５１０ａ〜５１０ｃ、可変容量素子４０９ａ〜４０９ｃ，５０９ａ〜５０９ｃ、抵抗素子４０７ａ〜４０７ｃ，５０７ａ〜５０７ｃ、高周波接地用かつ直流阻止用のキャパシタ４１１ａ〜４１１ｃ，５１１ａ〜５１１ｃからなる単位セル回路を複数個縦続接続することで可変反射回路４０４，５０４が構成されている。そして可変容量素子４０９ａ〜４０９ｃ，５０９ａ〜５０９ｃに対しては、その容量値制御用のバイアス電圧を、バイアス電圧印加端子４１２ａ〜４１２ｃ，５１２ａ〜５１２ｃへの制御電圧によって、各々個別に印加できるようになっており、それにより各単位セル回路の通過振幅、通過位相を制御し、ひいては可変反射回路４０４，５０４の反射振幅、反射位相を実施の形態１の場合と同様に制御することが可能となる。
【００３２】
さらに第三の相違点として、本実施の形態においては可変反射回路４０４，５０４としてスイッチではなく可変容量素子４０９ａ〜４０９ｃ，５０９ａ〜５０９ｃを用いており、一般に同素子において入力波の高調波成分が生成されることが挙げられる。高出力増幅器４０１，５０１においては一般にその出力端子での高調波電圧、電流成分がその動作特性に影響を及ぼし、それらを適切に与えることで同増幅器の動作効率や歪特性を改善できることが知られている。従って、本実施の形態において、サーキュレータ４０２，５０２の動作帯域幅を基本波だけでなくその高調波帯域も含むようにし、かつ可変反射回路４０４，５０４の反射係数も基本波での値だけでなく高調波での値も考慮してその制御電圧を与えることで、高出力増幅器４０１，５０１の更なる特性改善を図ることが可能となる。
【００３３】
このように、高出力増幅器４０１，５０１とアンテナ４０３，５０３、およびそれらの間に接続されたサーキュレータ４０２，５０２を複数個アレー配置したフェーズドアレーアンテナからなる無線送信装置において、サーキュレータ４０２，５０２にてアンテナ４０３，５０３からの漏洩波が入射する端子に可変容量素子４０９ａ〜４０９ｃ，５０９ａ〜５０９ｃからなる可変反射回路４０４，５０４を設け、その反射係数をアンテナビーム走査角に応じて適切に制御することで、より広い周波数範囲にて高出力増幅器４０１，５０１の出力電力、効率、歪などの特性を維持することが可能となる。
また、高出力増幅器４０１，５０１の動作バイアス電圧をその出力電力に応じて制御し、それと同時に可変反射回路４０４，５０４も制御することにより、より広範なバイアス電圧条件に対して高出力増幅器４０１，５０１の動作効率を維持することが可能となる。
【００３４】
以上のように、実施の形態２の無線送信装置によれば、増幅器のバイアス回路として用いる電圧可変回路を設け、電圧可変回路で供給されるバイアス電圧を制御することで、増幅器の出力電力を制御するようにしたので、増幅器の動作効率の向上を図ることができる。
【００３５】
また、実施の形態２の無線送信装置によれば、可変反射回路は、一定長の伝送線路と伝送線路の中間点にシャントに接続された抵抗素子および可変容量素子からなる単位回路を、直流阻止用の直列キャパシタを介して複数個縦続接続して構成するようにしたので、増幅器の更なる特性改善を図ることが可能となる。
【００３６】
尚、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３７】
１０１，２０１，４０１，５０１  高出力増幅器、１０２，２０２，４０２，５０２  サーキュレータ、１０３，２０３，４０３，５０３  アンテナ、１０４，２０４，４０４，５０４  可変反射回路、１０５，２０５，４０５，５０５  移相器、１０６，２０６，４０６，５０６  制御回路、１０７，２０７  スイッチ、１０８ａ，１０８ｂ，１０８ｃ，２０８ａ，２０８ｂ，２０８ｃ，４０７ａ，４０７ｂ，４０７ｃ，５０７ａ，５０７ｂ，５０７ｃ  抵抗素子、１０９，２０９，４０８ａ，４０８ｂ，４０８ｃ，４１１ａ，４１１ｂ，４１１ｃ，５０８ａ，５０８ｂ，５０８ｃ，５１１ａ，５１１ｂ，５１１ｃ  キャパシタ、１１０，２１０  インダクタ、４１３，５１３  ＤＣ／ＤＣコンバータ、４０９ａ，４０９ｂ，４０９ｃ，５０９ａ，５０９ｂ，５０９ｃ  可変容量素子、４１０ａ，４１０ｂ，４１０ｃ，５１０ａ，５１０ｂ，５１０ｃ  伝送線路、４１２ａ，４１２ｂ，４１２ｃ，５１２ａ，５１２ｂ，５１２ｃ  バイアス電圧印加端子。
【図１】
2012235329.tif 000003
【図２】
2012235329.tif 000004
【図３】
2012235329.tif 000005